(57)【要約】【課題】各台計数方式を採用した場合に、遊技者に対して過度な負担をかけることなく効果的に不正行為を防止すること。【解決手段】管理装置が、台間装置ごとに計数値記録媒体の発行制限を行うか否かを指定した発行制限情報を記憶し、記憶された発行制限情報を該当する各台間装置へそれぞれ通知するように構成する。また、台間装置が、自装置に対応する遊技台で遊技者が獲得した遊技媒体を計数し、計数値が記録された計数値記録媒体の発行を許可する旨の通知である許可通知を受け付け、受け取った発行制限情報が発行制限をする旨の情報である場合には、許可通知を受け付けたことを条件として計数値記録媒体を発行し、発行制限をしない旨の情報である場合には、許可通知を受け付けたか否かに関わらず計数値記録媒体を発行するように構成する。【選択図】        図３
2009268581.tif 000002
【特許請求の範囲】
【請求項１】
遊技台ごとに設けられる台間装置であって、
自装置に対応する遊技台で遊技者が獲得した遊技媒体を計数する計数手段と、
前記計数手段による計数値が関連付けられた計数値記録媒体の発行を許可する旨の通知である許可通知を受け付ける許可通知受付手段と、
前記許可通知受付手段が前記許可通知を受け付けた場合に、前記計数値記録媒体を発行する発行手段と
を備えたことを特徴とする台間装置。
【請求項２】
前記許可通知受付手段は、
操作部を介して入力された情報が正当である場合に、当該情報を前記許可通知として受け付けることを特徴とする請求項１に記載の台間装置。
【請求項３】
前記許可通知受付手段は、
携帯端末装置から受信した情報が正当である場合に、当該情報を前記許可通知として受け付けることを特徴とする請求項１に記載の台間装置。
【請求項４】
前記発行手段は、
前記計数値記録媒体の発行制限を行う旨の指定が予めなされている場合には、前記許可通知受付手段が前記許可通知を受け付けたことを条件として前記計数値記録媒体を発行し、発行制限を行う旨の指定が予めなされていない場合には、前記許可通知受付手段が前記許可通知を受け付けたか否かに関わらず前記計数値記録媒体を発行することを特徴とする請求項１、２または３に記載の台間装置。
【請求項５】
前記発行手段は、
前記計数値記録媒体に関連付けられた計数値が予め指定された発行制限閾値以上である場合には、前記許可通知受付手段が前記許可通知を受け付けたことを条件として前記計数値記録媒体を発行し、前記発行制限閾値未満である場合には、前記許可通知受付手段が前記許可通知を受け付けたか否かに関わらず前記計数値記録媒体を発行することを特徴とする請求項１〜４のいずれか一つに記載の台間装置。
【請求項６】
遊技台ごとに設けられる台間装置と前記台間装置を管理する管理装置とで前記台間装置による計数値記録媒体の発行を制御する記録媒体発行システムであって、
前記管理装置は、
前記台間装置ごとに前記計数値記録媒体の発行制限を行うか否かを指定した発行制限情報を記憶する発行制限情報記憶手段と、
前記発行制限情報記憶手段によって記憶された前記発行制限情報を該当する各台間装置へそれぞれ通知する通知手段と
を備え、
前記台間装置は、
自装置に対応する遊技台で遊技者が獲得した遊技媒体を計数する計数手段と、
前記計数手段による計数値が関連付けられた計数値記録媒体の発行を許可する旨の通知である許可通知を受け付ける許可通知受付手段と、
前記管理装置の通知手段から受け取った前記発行制限情報が前記発行制限をする旨の情報である場合には、前記許可通知受付手段が前記許可通知を受け付けたことを条件として前記計数値記録媒体を発行し、前記発行制限をしない旨の情報である場合には、前記許可通知受付手段が前記許可通知を受け付けたか否かに関わらず前記計数値記録媒体を発行する発行手段と
を備えたことを特徴とする記録媒体発行システム。
【請求項７】
前記管理装置の発行制限情報記憶手段に記憶される前記発行制限情報は、
前記遊技台で遊技者が獲得した遊技媒体の数について前記発行制限を行うか否かの閾値となる発行制限閾値を前記台間装置ごとに含むものであって、
前記台間装置の発行手段は、
前記計数値記録媒体に関連付けられた計数値が前記発行制限閾値以上である場合には、前記許可通知受付手段が前記許可通知を受け付けたことを条件として前記計数値記録媒体を発行し、前記発行制限閾値未満である場合には、前記許可通知受付手段が前記許可通知を受け付けたか否かに関わらず前記計数値記録媒体を発行することを特徴とする請求項６に記載の記録媒体発行システム。
【請求項８】
前記許可通知受付手段は、
操作部を介して入力された情報が正当である場合に、当該情報を前記許可通知として受け付けることを特徴とする請求項６または７に記載の記録媒体発行システム。
【請求項９】
前記許可通知受付手段は、
携帯端末装置から受信した情報が正当である場合に、当該情報を前記許可通知として受け付けることを特徴とする請求項６または７に記載の記録媒体発行システム。
【請求項１０】
前記台間装置は、
前記許可通知受付手段が受け付けた前記許可通知に含まれる係員識別子および発行した前記計数値記録媒体の記録媒体識別子を前記管理装置へ送信する送信手段
をさらに備え、
前記管理装置は、
前記係員識別子および前記記録媒体識別子を関連付けて記憶する発行実績記憶手段
をさらに備えたことを特徴とする請求項６〜９のいずれか一つに記載の記録媒体発行システム。
【請求項１１】
前記台間装置は、
前記計数値記録媒体の返却操作がなされた場合に、当該計数値記録媒体の返却を行う代わりに係員に対する報知を行う報知手段
をさらに備えたことを特徴とする請求項６〜１０のいずれか一つに記載の記録媒体発行システム。
【請求項１２】
遊技台ごとに設けられる台間装置と前記台間装置を管理する管理装置とで前記台間装置による計数値記録媒体の発行を制御する記録媒体発行方法であって、
前記台間装置ごとに前記計数値記録媒体の発行制限を行うか否かを指定した発行制限情報を前記管理装置が記憶する発行制限情報記憶工程と、
前記発行制限情報記憶工程によって記憶された前記発行制限情報を該当する各台間装置へ前記管理装置がそれぞれ通知する通知工程と、
自装置に対応する遊技台で遊技者が獲得した遊技媒体を前記台間装置が計数する計数工程と、
前記計数工程による計数値が関連付けられた計数値記録媒体の発行を許可する旨の通知である許可通知を前記台間装置が受け付ける許可通知受付工程と、
前記通知工程で通知された前記発行制限情報が前記発行制限をする旨の情報である場合には、前記許可通知受付工程が前記許可通知を受け付けたことを条件として前記台間装置が前記計数値記録媒体を発行し、前記発行制限をしない旨の情報である場合には、前記許可通知受付工程が前記許可通知を受け付けたか否かに関わらず前記計数値記録媒体を前記台間装置が発行する発行工程と
を含んだことを特徴とする記録媒体発行方法。
【発明の詳細な説明】
【技術分野】
【０００１】
この発明は、遊技台ごとに設けられる台間装置、遊技台ごとに設けられる台間装置と台間装置を管理する管理装置とで、各台間装置に設けられており遊技者が獲得した遊技媒体を計数する計数装置からの計数結果が関連付けられた計数値記録媒体の発行を制御する記録媒体発行システムおよび記録媒体発行方法に関し、特に、各台計数方式を採用した場合に、遊技者に対して過度な負担をかけることなく効果的に不正行為を防止することができる台間装置、記録媒体発行システムおよび記録媒体発行方法に関するものである。
【背景技術】
【０００２】
従来から、パチンコ店などの遊技店に設置されるパチンコ機やパチスロ機といった遊技機と並設され、パチンコ玉やメダルといった遊技媒体を貸し出す貸出処理機（以下、「台間装置」と記載する）が知られている。また、遊技機において遊技者が獲得した遊技媒体の数量を各台間装置が計数する、いわゆる各台計数方式も知られてきた。
【０００３】
かかる各台計数方式に対応した台間装置では、遊技台の下皿などに投入された遊技媒体の数量（以下、「計数値」と記載する）を計数し、ＩＣ（Integrated  Circuit）カードなどの情報記憶が可能なカードに対して計数値を記録する。そして、遊技を終えた遊技者の操作によって計数値が記録されたカードを発行する。
【０００４】
なお、計数値を記録するカード（以下、「計数値記録媒体」と記載する）としては、遊技店の会員に対して配布される会員カードや、非会員の一般遊技者が使用することができる一般カードなどがある。たとえば、特許文献１には、一般遊技者に対して発行される当日カードに各台間装置が計数した計数値を書き込むことで、会員のみならず一般遊技者も各台計数システムに対応した遊技台における遊技を可能とした技術が開示されている。
【０００５】
【特許文献１】特開平１０−１１８３２３号公報
【発明の開示】
【発明が解決しようとする課題】
【０００６】
しかしながら、上記した従来技術では、台間装置に対する計数値記録媒体（カード）の発行指示を遊技者自身が行うため、悪意の遊技者による不正行為が発覚しにくいという問題があった。たとえば、遊技者が他店から持ち込んだ遊技媒体を遊技台へ投入し、計数のみを行って計数値が書き込まれた計数値記録媒体（カード）の発行を受けた場合、係員による目視確認が介在しないので不正行為を摘発することは困難である。
【０００７】
その一方で、計数値記録媒体（カード）を発行する際に、係員の呼び出しを義務付けると、善意の遊技者に対しても一律に負担をかけることになってしまう。たとえば、獲得した遊技媒体が少数であってもカード発行のために係員が来るのを待つ必要があり、別の遊技台で遊技する意欲をそぐ結果となりかねない。
【０００８】
これらのことから、各台計数方式を採用した場合に、遊技者に対して過度な負担をかけることなく効果的に不正行為を防止することができる台間装置、記録媒体発行システムあるいは記録媒体発行方法をいかにして実現するかが大きな課題となっている。
【０００９】
この発明は、上述した従来技術による問題点を解消するためになされたものであって、各台計数方式を採用した場合に、遊技者に対して過度な負担をかけることなく効果的に不正行為を防止することができる台間装置、各台計数システムおよび各台計数方法を提供することを目的とする。
【課題を解決するための手段】
【００１０】
上述した課題を解決し、目的を達成するため、請求項１に係る発明は、遊技台ごとに設けられる台間装置であって、自装置に対応する遊技台で遊技者が獲得した遊技媒体を計数する計数手段と、前記計数手段による計数値が関連付けられた計数値記録媒体の発行を許可する旨の通知である許可通知を受け付ける許可通知受付手段と、前記許可通知受付手段が前記許可通知を受け付けた場合に、前記計数値記録媒体を発行する発行手段とを備えたことを特徴とする。
【００１１】
また、請求項２に係る発明は、上記の発明において、前記許可通知受付手段は、操作部を介して入力された情報が正当である場合に、当該情報を前記許可通知として受け付けることを特徴とする。
【００１２】
また、請求項３に係る発明は、上記の発明において、前記許可通知受付手段は、携帯端末装置から受信した情報が正当である場合に、当該情報を前記許可通知として受け付けることを特徴とする。
【００１３】
また、請求項４に係る発明は、上記の発明において、前記発行手段は、前記計数値記録媒体の発行制限を行う旨の指定が予めなされている場合には、前記許可通知受付手段が前記許可通知を受け付けたことを条件として前記計数値記録媒体を発行し、発行制限を行う旨の指定が予めなされていない場合には、前記許可通知受付手段が前記許可通知を受け付けたか否かに関わらず前記計数値記録媒体を発行することを特徴とする。
【００１４】
また、請求項５に係る発明は、上記の発明において、前記発行手段は、前記計数値記録媒体に関連付けられた計数値が予め指定された発行制限閾値以上である場合には、前記許可通知受付手段が前記許可通知を受け付けたことを条件として前記計数値記録媒体を発行し、前記発行制限閾値未満である場合には、前記許可通知受付手段が前記許可通知を受け付けたか否かに関わらず前記計数値記録媒体を発行することを特徴とする。
【００１５】
また、請求項６に係る発明は、遊技台ごとに設けられる台間装置と前記台間装置を管理する管理装置とで前記台間装置による計数値記録媒体の発行を制御する記録媒体発行システムであって、前記管理装置は、前記台間装置ごとに前記計数値記録媒体の発行制限を行うか否かを指定した発行制限情報を記憶する発行制限情報記憶手段と、前記発行制限情報記憶手段によって記憶された前記発行制限情報を該当する各台間装置へそれぞれ通知する通知手段とを備え、前記台間装置は、自装置に対応する遊技台で遊技者が獲得した遊技媒体を計数する計数手段と、前記計数手段による計数値が関連付けられた計数値記録媒体の発行を許可する旨の通知である許可通知を受け付ける許可通知受付手段と、前記管理装置の通知手段から受け取った前記発行制限情報が前記発行制限をする旨の情報である場合には、前記許可通知受付手段が前記許可通知を受け付けたことを条件として前記計数値記録媒体を発行し、前記発行制限をしない旨の情報である場合には、前記許可通知受付手段が前記許可通知を受け付けたか否かに関わらず前記計数値記録媒体を発行する発行手段とを備えたことを特徴とする。
【００１６】
また、請求項７に係る発明は、上記の発明において、前記管理装置の発行制限情報記憶手段に記憶される前記発行制限情報は、前記遊技台で遊技者が獲得した遊技媒体の数について前記発行制限を行うか否かの閾値となる発行制限閾値を前記台間装置ごとに含むものであって、前記台間装置の発行手段は、前記計数値記録媒体に関連付けられた計数値が前記発行制限閾値以上である場合には、前記許可通知受付手段が前記許可通知を受け付けたことを条件として前記計数値記録媒体を発行し、前記発行制限閾値未満である場合には、前記許可通知受付手段が前記許可通知を受け付けたか否かに関わらず前記計数値記録媒体を発行することを特徴とする。
【００１７】
また、請求項８に係る発明は、上記の発明において、前記許可通知受付手段は、操作部を介して入力された情報が正当である場合に、当該情報を前記許可通知として受け付けることを特徴とする。
【００１８】
また、請求項９に係る発明は、上記の発明において、前記許可通知受付手段は、携帯端末装置から受信した情報が正当である場合に、当該情報を前記許可通知として受け付けることを特徴とする。
【００１９】
また、請求項１０に係る発明は、上記の発明において、前記台間装置は、前記許可通知受付手段が受け付けた前記許可通知に含まれる係員識別子および発行した前記計数値記録媒体の記録媒体識別子を前記管理装置へ送信する送信手段をさらに備え、前記管理装置は、前記係員識別子および前記記録媒体識別子を関連付けて記憶する発行実績記憶手段をさらに備えたことを特徴とする。
【００２０】
また、請求項１１に係る発明は、上記の発明において、前記台間装置は、前記計数値記録媒体の返却操作がなされた場合に、当該計数値記録媒体の返却を行う代わりに係員に対する報知を行う報知手段をさらに備えたことを特徴とする。
【００２１】
また、請求項１２に係る発明は、遊技台ごとに設けられる台間装置と前記台間装置を管理する管理装置とで前記台間装置による計数値記録媒体の発行を制御する記録媒体発行方法であって、前記台間装置ごとに前記計数値記録媒体の発行制限を行うか否かを指定した発行制限情報を前記管理装置が記憶する発行制限情報記憶工程と、前記発行制限情報記憶工程によって記憶された前記発行制限情報を該当する各台間装置へ前記管理装置がそれぞれ通知する通知工程と、自装置に対応する遊技台で遊技者が獲得した遊技媒体を前記台間装置が計数する計数工程と、前記計数工程による計数値が関連付けられた計数値記録媒体の発行を許可する旨の通知である許可通知を前記台間装置が受け付ける許可通知受付工程と、前記通知工程で通知された前記発行制限情報が前記発行制限をする旨の情報である場合には、前記許可通知受付工程が前記許可通知を受け付けたことを条件として前記台間装置が前記計数値記録媒体を発行し、前記発行制限をしない旨の情報である場合には、前記許可通知受付工程が前記許可通知を受け付けたか否かに関わらず前記計数値記録媒体を前記台間装置が発行する発行工程とを含んだことを特徴とする。
【発明の効果】
【００２２】
請求項１の発明によれば、自装置に対応する遊技台で遊技者が獲得した遊技媒体を計数し、計数値が関連付けられた計数値記録媒体の発行を許可する旨の通知である許可通知を受け付け、許可通知を受け付けた場合に、計数値記録媒体を発行することとしたので、計数値記録媒体の発行に、許可通知の受け付けを要件とすることで、係員の目に触れることなく遊技者が計数値記録媒体を発行することを防止することができる。したがって、不正行為を効果的に防止することができるという効果を奏する。
【００２３】
また、請求項２の発明によれば、操作部を介して入力された情報が正当である場合に、この情報を許可通知として受け付けることとしたので、係員による正当な許可通知のみを操作部経由で受け付けることができるという効果を奏する。
【００２４】
また、請求項３の発明によれば、携帯端末装置から受信した情報が正当である場合に、この情報を許可通知として受け付けることとしたので、係員による正当な許可通知のみを携帯端末装置経由で受け付けることができるという効果を奏する。
【００２５】
また、請求項４の発明によれば、計数値記録媒体の発行制限を行う旨の指定が予めなされている場合には、許可通知を受け付けたことを条件として計数値記録媒体を発行し、発行制限を行う旨の指定が予めなされていない場合には、許可通知を受け付けたか否かに関わらず計数値記録媒体を発行することとしたので、遊技台の種別や、遊技店の運用に応じて計数値記録媒体の発行制限を柔軟に設定することができるという効果を奏する。
【００２６】
また、請求項５の発明によれば、計数値記録媒体に関連付けられた計数値が予め指定された発行制限閾値以上である場合には、許可通知を受け付けたことを条件として計数値記録媒体を発行し、発行制限閾値未満である場合には、許可通知を受け付けたか否かに関わらず計数値記録媒体を発行することとしたので、不正の可能性が高くなる高額な計数値の場合に係員の確認を必要とすることで、遊技者に対して過度な負担をかけることなく効果的に不正行為を防止することができるという効果を奏する。
【００２７】
また、請求項６の発明によれば、管理装置は、台間装置ごとに計数値記録媒体の発行制限を行うか否かを指定した発行制限情報を記憶し、記憶された発行制限情報を該当する各台間装置へそれぞれ通知し、台間装置は、自装置に対応する遊技台で遊技者が獲得した遊技媒体を計数し、計数値が関連付けられた計数値記録媒体の発行を許可する旨の通知である許可通知を受け付け、受け取った発行制限情報が発行制限をする旨の情報である場合には、許可通知を受け付けたことを条件として計数値記録媒体を発行し、発行制限をしない旨の情報である場合には、許可通知を受け付けたか否かに関わらず計数値記録媒体を発行することとしたので、遊技台の種別や、遊技店の運用に応じて計数値記録媒体の発行制限を柔軟に設定することができるという効果を奏する。また、１円貸しコーナーのように、不正の可能性が低いコーナーに設置された台間装置については発行制限の対象外とすることで、計数値記録媒体の発行制限に伴う負担を遊技者に対して過度にかけることを防止することができるという効果を奏する。
【００２８】
また、請求項７の発明によれば、管理装置が記憶する発行制限情報は、遊技台で遊技者が獲得した遊技媒体の数について発行制限を行うか否かの閾値となる発行制限閾値を台間装置ごとに含むものであって、台間装置は、計数値記録媒体に関連付けられた計数値が発行制限閾値以上である場合には、許可通知を受け付けたことを条件として計数値記録媒体を発行し、発行制限閾値未満である場合には、許可通知を受け付けたか否かに関わらず計数値記録媒体を発行することとしたので、不正の可能性が高くなる高額な計数値の場合に係員の確認を必要とすることで、遊技者に対して過度な負担をかけることなく効果的に不正行為を防止することができるという効果を奏する。
【００２９】
また、請求項８の発明によれば、台間装置は、操作部を介して入力された情報が正当である場合に、この情報を許可通知として受け付けることとしたので、係員による正当な許可通知のみを操作部経由で受け付けることができるという効果を奏する。
【００３０】
また、請求項９の発明によれば、台間装置は、携帯端末装置から受信した情報が正当である場合に、この情報を許可通知として受け付けることとしたので、係員による正当な許可通知のみを携帯端末装置経由で受け付けることができるという効果を奏する。
【００３１】
また、請求項１０の発明によれば、台間装置は、受け付けた許可通知に含まれる係員識別子および発行した計数値記録媒体の記録媒体識別子を管理装置へ送信し、記管理装置は、係員識別子および記録媒体識別子を関連付けて記憶することとしたので、係員による不正行為を防止することができるという効果を奏する。
【００３２】
また、請求項１１の発明によれば、台間装置は、計数値記録媒体の返却操作がなされた場合に、計数値記録媒体の返却を行う代わりに係員に対する報知を行うこととしたので、遊技者には通常の返却操作を行わせるのみで係員に報知することができるので、遊技者に対して発行制限に関する情報を周知させる必要がないという効果を奏する。
【００３３】
また、請求項１２の発明によれば、台間装置ごとに計数値記録媒体の発行制限を行うか否かを指定した発行制限情報を管理装置が記憶し、記憶された発行制限情報を該当する各台間装置へ管理装置がそれぞれ通知し、自装置に対応する遊技台で遊技者が獲得した遊技媒体を台間装置が計数し、計数値が関連付けられた計数値記録媒体の発行を許可する旨の通知である許可通知を台間装置が受け付け、通知された発行制限情報が発行制限をする旨の情報である場合には、許可通知を受け付けたことを条件として台間装置が計数値記録媒体を発行し、発行制限をしない旨の情報である場合には、許可通知を受け付けたか否かに関わらず計数値記録媒体を台間装置が発行することとしたので、遊技台の種別や、遊技店の運用に応じて計数値記録媒体の発行制限を柔軟に設定することができるという効果を奏する。また、１円貸しコーナーのように、不正の可能性が低いコーナーに設置された台間装置については発行制限の対象外とすることで、計数値記録媒体の発行制限に伴う負担を遊技者に対して過度にかけることを防止することができるという効果を奏する。
【発明を実施するための最良の形態】
【００３４】
以下に添付図面を参照して、本発明に係る台間装置、記録媒体発行システムおよび記録媒体発行方法の実施例を詳細に説明する。なお、以下の説明では、パチンコ店などの遊技店に設置されるパチンコ機やパチスロ機といった遊技機と並設された計数機能付き台間装置が、記録媒体（カード）を発行する場合について説明する。
【００３５】
まず、実施例の詳細な説明に先立って、本発明に係る記録媒体発行手法の概要について図１および図２を用いて説明する。図１は、本発明に係る記録媒体発行手法の概要を示す図である。
【００３６】
同図に示すように、各遊技台に併設された計数機能付台間装置（以下、単に「台間装置」と記載する）は、島コントローラ経由で管理装置と接続されている。ここで、管理装置とは、台間装置、精算機、景品交換装置といった遊技店に設置された機器を管理する装置であり、島コントローラとは、周囲を通路に囲まれたスペース（遊技島）に設けられた一群の台間装置や遊技機などの装置を束ねる装置である。
【００３７】
また、台間装置は、自装置が接続された遊技機で遊技者が獲得した遊技媒体（たとえば、パチンコ玉）の数を計数したうえで計数結果を計数値として記録媒体（カード）へ記録し、計数値が記録された記録媒体（カード）を遊技者へ発行する装置である。
【００３８】
従来、このような計数機能を備えた台間装置を使用する場合、記録媒体（カード）の発行操作は遊技者へ委ねられており、係員のチェックを経ることなく計数結果が記録された記録媒体（カード）が発行されていた。このため、他店からのパチンコ玉の持ち込みなどの不正行為を防止することが困難であった。
【００３９】
そこで、本発明に係る記録媒体発行手法では、遊技者が、計数値が記録された記録媒体（カード）の発行操作を行った場合に、ただちに記録媒体（カード）を発行するのではなく、係員の許可操作を経てはじめて記録媒体（カード）を発行することとした。すなわち、記録媒体（カード）を無条件に発行するのではなく、記録媒体（カード）の「発行制限」を行うこととした。
【００４０】
また、すべての台間装置で、このような係員の許可操作を義務付けると遊技者の利便性を損なう点を考慮し、記録媒体（カード）の発行制限を行う台間装置を任意に設定できるようにした。このようにすることで、パチンコ玉を１円で貸す１円貸しコーナーでは、発行制限を行わず、パチンコ玉を４円で貸す４円貸しコーナーでは、発行制限を行うといった運用が可能となる。また、不正行為が発覚した場合に、すべての台間装置で発行制限を行うといった運用も可能となる。
【００４１】
具体的には、同図に示すように、管理装置で各台間装置における発行制限の有無を設定する（同図の（１−ａ）参照）。そして、管理装置は、各台間装置へ発行制限設定を送信する（同図の（１−ｂ）参照）。
【００４２】
一方、台間装置は、管理装置から受け取った発行制限設定を自装置へ適用する処理を行う。そして、遊技者が獲得した遊技媒体（たとえば、パチンコ玉）の個数を各台で計数し（同図の（２−ａ）参照）、遊技者が記録媒体（カード）の発行操作を行ったならば、その旨を係員へ報知する。
【００４３】
そして、係員がリモコンなどを用いて記録媒体の発行許可を指示したならば（同図の（２−ｂ）参照）、計数値が記録された記録媒体（カード）を発行する（同図の（２−ｃ）参照）。なお、図１では、各台間装置で発行制限を行うか否かを設定し、発行制限を行う旨の設定がなされた台間装置で係員の許可操作を義務付ける場合を示したが、計数値が所定の閾値以上である場合に係員の許可操作を義務付けることとしてもよい。
【００４４】
次に、図１に示した記録媒体発行手法を適用するネットワーク環境について図２を用いて説明する。図２は、本発明に係る記録媒体発行手法を適用するネットワーク環境を説明するための図である。同図に示すように、管理装置には、ＬＡＮ（Local  Area  Network）などのネットワーク経由で、島コントローラ１００、精算機２００、景品管理機３００およびカード処理機４００等の機器が接続されている。また、島コントローラ１００には、台間装置（計数機能付台間装置）が接続されている。
【００４５】
ここで、台間装置が、残度数および計数値（各台計数機能で計数された計数値）を記録したカードを発行する場合について説明する。カードを発行された遊技者は、カードを精算機２００へ挿入することで、残度数に応じた貨幣を受け取る。また、遊技者は、景品交換コーナーへカードを持参し、カード処理機４００にカードをかざしたり挿入したりすることで、計数値に応じた景品を受け取ることになる。
【００４６】
管理装置は、図１で説明した「発行制限」に関する発行制限情報を記憶しており、また、遊技店で使用される記録媒体を一括して管理する記録媒体管理ＤＢ（データベース）を備えている。そして、記録媒体管理ＤＢの配下には、プリペイドカードに関する情報を蓄積したプリペイドカードＤＢ、会員カードによる貯玉情報を蓄積した貯玉ＤＢ、各台計数機能によって遊技者が獲得した持玉（獲得玉）情報を蓄積した持玉ＤＢがそれぞれ接続されている。
【００４７】
なお、図２に示したネットワーク環境で遊技者が利用可能なカード（記録媒体）の種別としては、台間装置に内蔵された内蔵カード（一般遊技者用カード）、遊技者が高額紙幣を用いて遊技した際の残高保持用のプリペイドカード、遊技店の会員に対して発行される会員カードがあげられる。以下では、本発明に係る記録媒体発行手法を適用した記録媒体発行システムについての実施例を詳細に説明する。なお、以下に示す実施例では、計数値が記録媒体（カード）に記録される場合について説明するが、管理装置がカードＩＤ（カード識別子）と計数値とを関連付けて記憶することとしてもよい。
【実施例】
【００４８】
図３は、本実施例に係る記録媒体発行システム１の構成を示すブロック図である。同図に示すように、記録媒体発行システム１は、台間装置１０と、管理装置２０とから構成される。なお、同図には、１台の台間装置１０のみを示しているが、管理装置２０には所定数の台間装置１０が島コントローラ１００経由で接続されるものとする。
【００４９】
ここで、台間装置１０の概要構成を説明するために、図４を用いて台間装置１０の外観について説明しておく。図４は、台間装置１０の外観図である。なお、同図には、台間装置１０が併設された遊技機５１を破線で示している。
【００５０】
図４に示すように、台間装置１０は、係員の呼び出し時などに点灯する状態表示部４１と、遊技媒体の貸し出しのための各種紙幣を受け付ける紙幣挿入部４２と、係員が携帯するリモコン（携帯端末装置）からの指示を受け付けるリモコン受光部４３と、ディスプレイおよびテンキーなどの操作キーで構成される表示／操作部４４と、持ち玉等の遊技媒体を払い出すノズルを備えた持ち玉払出部４５と、計数値が記録されたカードを発行するカード発行部４６と、持ち玉（獲得玉）を計数する計数部４７と、持ち玉（獲得玉）を貯留する玉貯留部４８とを備えている。
【００５１】
また、玉貯留部４８の前面には、持ち玉（獲得玉）の計数結果などを表示する計数表示部４９と、持ち玉を用いた遊技を指示するための持ち玉払出ボタン５０とを備えている。台間装置１０は、同図に示す遊技機５１の下皿５２から持ち玉（獲得玉）を玉貯留部４８へ誘導し、計数部４７で持ち玉（獲得玉）の数量を計数する。
【００５２】
そして、遊技者が、持ち玉払出ボタン５０を押下した場合には、持ち玉（獲得玉）を持ち玉払出部４５経由で遊技機５１へ投出する。なお、持ち玉払出部４５は、紙幣挿入部４２へ紙幣が挿入され、遊技機５１の貸し出しボタンが押下された場合の払い出しも併せて行う場合もある。
【００５３】
なお、同図では、計数表示部４９および玉払出ボタン５０が玉貯留部４８の前面に設けられた場合について説明したが、計数表示部４９および玉払出ボタン５０の設置位置には制限はない。たとえば、計数表示部４９および玉払出ボタン５０を、台間装置１０や遊技機５１に設けることとしてもよい。また、遊技機５１の上部に設けられた情報表示機や呼出ランプに設けることとしてもよい。
【００５４】
図３の説明に戻り、台間装置１０の構成について説明する。台間装置１０は、状態表示部１１（図４の４１に対応）と、リモコン受光部１２（図４の４３に対応）と、カード保持部１３（図４の４６に対応）と、カードＲ／Ｗ（リーダ／ライタ）部１４と、計数部１５（図４の４７に対応）と、通信Ｉ／Ｆ（インターフェース）部１６と、制御部１７とを備えている。
【００５５】
また、制御部１７は、設定処理部１７ａと、許可通知受付処理部１７ｂと、発行処理部１７ｃと、発行実績通知部１７ｄとをさらに備えている。なお、図３では、図４で説明した各構成要素の中から台間装置１０の特徴点を説明するために必要な構成要素のみを抜粋して示している。
【００５６】
状態表示部１１は、ＬＥＤ（Light  Emitting  Diode）などの発光デバイスで構成され、遊技者がカード保持部１３の図示しないカード発行ボタンを押下した際に、所定の色で発光するなどして係員に対する報知を行う。また、リモコン受光部１２は、係員が携帯するリモコンが発する赤外線などの光を受光し、リモコンから受け取ったデータを制御部１７の許可通知受付処理部１７ｂへ渡す処理を行う。
【００５７】
カード保持部１３は、台間装置１０に内蔵されるカードを保持する。なお、このカード保持部１３は、会員カードが挿入された場合には、この会員カードを保持する処理を併せて行う。また、カードＲ／Ｗ１４部は、計数部１５によって計数された持ち玉（獲得玉）の計数値を、カード保持部１３に保持されたカードへ書き込むとともに、カード保持部１３からカードが発行される際に、このカードから取得したカード識別子を、制御部１７の発行実績通知部１７ｄへ渡す処理を行う。
【００５８】
計数部１５は、遊技者の持ち玉（獲得玉）を計数し、計数結果を計数値としてカードＲ／Ｗ部１４へ渡す処理を行う。また、通信Ｉ／Ｆ（インターフェース）１６は、ＬＡＮカードなどの通信デバイスで構成され、ネットワーク経由で、台間装置１０／管理装置２０間のデータ送受信を行う。
【００５９】
制御部１７は、管理装置２０から受け取った発行制限に係る設定情報を自装置に設定するとともに、所定の条件を満たした場合には、カード保持部１３からカードを発行する前に係員に対する報知を行うとともに、係員による発行許可を得てはじめてカードの発行を行う処理部である。
【００６０】
設定処理部１７ａは、通信Ｉ／Ｆ１６経由で管理装置２０から発行制限に係る設定情報を受け取り、受け取った設定情報を発行処理部１７ｃへ通知する処理を行う処理部である。たとえば、この設定処理部１７ａが、発行制限を行う旨の設定情報を管理装置２０から受け取った場合には、発行処理部１７ｃは、カードの発行制限を行う。一方、発行制限を行わない旨の設定情報を受け取った場合には、発行処理部１７ｃは、カードの発行制限を行わない。
【００６１】
許可通知受付処理部１７ｂは、リモコン受光部１２経由で係員による発行許可を受け取り、受け取った発行許可の正当性を判定する。そして、発行許可が正当である場合には、発行許可を受け取った旨を発行処理部１７ｃに対して通知する。たとえば、この許可通知受付処理部１７ｂは、発行許可に含まれる係員識別子が、予め登録された係員識別子と一致するか否かを判定したり、係員識別子に所定の計算式を適用した結果が所定の値であるか否かを判定したりすることで、発行許可の正当性を判定する。
【００６２】
発行処理部１７ｃは、設定処理部１７ａから受け取った設定情報の内容に従ってカード発行の制限／非制限を制御する処理部である。たとえば、発行制限を行わない旨の設定情報を受け取った場合には、遊技者がカード保持部１３に対する発行指示を行うと発行制限を行うことなく計数値が記録されたカードを発行する。
【００６３】
一方、発行制限を行う旨の設定情報を受け取った場合には、遊技者がカード保持部１３に対する発行指示を行うと、状態表示部１１を点灯させるなどして係員に対する報知処理を実行する。そして、係員がリモコン経由で送信した許可通知の正当性が、許可通知受付処理部１７ｂで確認されたことを条件として計数値が記録されたカードを発行する。
【００６４】
また、この発行処理部１７ｃは、設定処理部１７ａから受け取った設定情報が、たとえば、１０００以上の計数値で発行制限を行う旨の情報である場合には、計数部１５によって計数された計数値が１０００未満であれば、遊技者がカード保持部１３に対する発行指示を行うと発行制限を行うことなく計数値が記録されたカードを発行する。
【００６５】
一方、計数部１５によって計数された計数値が１０００以上であれば、遊技者がカード保持部１３に対する発行指示を行うと、状態表示部１１を点灯させるなどして係員に対する報知処理を実行する。そして、係員がリモコン経由で送信した許可通知の正当性が、許可通知受付処理部１７ｂで確認されたことを条件として計数値が記録されたカードを発行する。
【００６６】
発行実績通知部１７ｄは、カード保持部１３によってカード発行が行われた場合に、カードの発行実績を通信Ｉ／Ｆ１６経由で管理装置２０へ送信する処理を行う処理部である。具体的には、この発行実績通知部１７ｄは、カードの識別子、カードに記録された計数値、カード発行を許可した係員の識別子等を発行実績として管理装置２０へ送信する。なお、カードがプリペイドカードのように、残価値を含むものである場合には、この残価値も発行実績に含めて管理装置２０へ送信する。
【００６７】
次に、管理装置２０の構成について説明する。管理装置２０は、通信Ｉ／Ｆ２１と、制御部２２と、記憶部２３とを備えている。なお、この記憶部２３には、図２に示した記録媒体管理ＤＢ、プリペイドカードＤＢ、貯玉ＤＢおよび持玉ＤＢが記憶されるが、記載を省略している。また、同図では、管理装置２０の特徴点を説明するために必要な構成要素のみを抜粋して示している。
【００６８】
通信Ｉ／Ｆ２１は、ＬＡＮカードなどの通信デバイスで構成され、ネットワーク経由で、管理装置２０／台間装置１０間のデータ送受信を行う。制御部２２は、各台間装置１０に対して記憶部２３の発行制限情報２３ａを送信する処理を行うとともに、台間装置１０から受け取ったカード発行実績を発行実績情報２３ｂとして記憶部２３へ記憶させる処理を行う処理部である。
【００６９】
発行制限送信処理部２２ａは、記憶部２３から読み出した発行制限情報２３ａを通信Ｉ／Ｆ２１経由で各台間装置１０へ送信する処理を行う処理部である。また、発行実績受信処理部２２ｂは、通信Ｉ／Ｆ２１経由で受け取った各台間装置１０からのカード発行実績を、発行実績情報２３ｂとして記憶部２３へ記憶させる処理を行う処理部である。
【００７０】
次に、図３に示した発行制限情報２３ａの例について図５を用いて説明する。図５は、発行制限情報２３ａの例を示す図である。図５の（１）に示したのは、発行制限情報２３ａを、「台間装置識別子」項目と、「発行制限有無」項目とから構成した場合の例である。たとえば、台間装置識別子が「１０１」の台間装置１０では、発行制限有無が「有」であるので、計数値が記録されたカードの発行には係員による許可が必要となる。また、台間装置識別子が「２０１」の台間装置１０では、発行制限有無が「無」であるので、計数値が記録されたカードの発行には係員による許可を必要としない。
【００７１】
図５の（２）に示したのは、発行制限情報２３ａを、「台間装置識別子」項目と、「発行制限閾値」項目とから構成した場合の例である。たとえば、台間装置識別子が「１０１」の台間装置１０では、発行制限閾値が「５０００」であるので、計数値が５０００以上の場合に限り、計数値が記録されたカードの発行には係員による許可が必要となる。また、台間装置識別子が「１０２」の台間装置１０では、発行制限閾値が「２０００」であるので、計数値が２０００以上の場合に限り、計数値が記録されたカードの発行には係員による許可が必要となる。
【００７２】
そして、台間装置識別子が「２０１」の台間装置１０では、発行制限閾値が「０」であるので、計数値の大小に関わらず、計数値が記録されたカードの発行には係員による許可が必要となる。なお、発行制限閾値として、たとえば、「−」を設定した場合には、計数値が記録されたカードの発行には係員による許可を必要としないといった運用も可能である。
【００７３】
図５の（３）に示したのは、発行制限情報２３ａを、「台間装置識別子」項目と、「発行制限有無」項目と、「発行制限閾値」項目とから構成した場合の例である。たとえば、台間装置識別子が「１０１」の台間装置１０では、発行制限有無が「有」であり、発行制限閾値が「５０００」であるので、計数値が５０００以上の場合に限り、計数値が記録されたカードの発行には係員による許可が必要となる。
【００７４】
また、台間装置識別子が「１０２」の台間装置１０では、発行制限有無が「有」であり、発行制限閾値が「２０００」であるので、計数値が２０００以上の場合に限り、計数値が記録されたカードの発行には係員による許可が必要となる。なお、台間装置識別子が「２０１」の台間装置１０では、発行制限有無が「無」であるので、発行制限閾値の値に関わらず計数値が記録されたカードの発行には係員による許可を必要としない。
【００７５】
次に、図３に示した発行実績情報２３ｂの例について図６を用いて説明する。図６は、発行実績情報２３ｂの例を示す図である。同図に示すように、発行実績情報２３ｂは、「カード識別子」項目と、「残価値」項目と、「計数値」項目と、「係員識別子」項目とを含んだ情報である。ここで、カード識別子は、各台間装置１０が発行したカードを一意に識別する識別子であり、残価値は、カードがプリペイドカードである場合の残高である。また、計数値は、各台間装置１０で計数された持ち玉（獲得玉）の数量であり、係員識別子は、カード発行を許可した係員を一意に識別する識別子である。
【００７６】
たとえば、カード識別子が「１２３１２３」のカードにおける残価値は「３０００」であり、計数値は「５０００」であり、係員識別子は「ａｂｃａｂｃ」である。このように、発行実績情報２３ｂは、計数値が記録されたカードを各台間装置１０が発行するたびに更新されていく。なお、発行実績情報２３ｂに、各台間装置１０を識別する台間装置識別子を含めることとしてもよい。
【００７７】
次に、台間装置１０が実行する処理手順について図７を用いて説明する。図７は、台間装置１０が実行する処理手順を示すフローチャートである。なお、図７に示したフローチャートは、図５の（１）に示した発行制限情報２３ａを、台間装置１０が管理装置２０から受け取った場合の処理手順である。
【００７８】
同図に示すように、カード保持部１３が、遊技者による記録媒体の発行操作を受け付けたならば（ステップＳ１０１）、発行処理部１７ｃは、発行制限「有」の設定がなされているか否かを判定する（ステップＳ１０２）。なお、ステップＳ１０１における記録媒体の発行操作は、基本的にはプリペイドカードと同じく、遊技機５２に設けられた返却ボタンの押下とするが、返却ボタンを台間装置１０や計数部１５に設けることとしてもよい。
【００７９】
そして、発行制限「有」の設定ありの場合には（ステップＳ１０２，Ｙｅｓ）、状態表示部１１が係員に対する報知を行い（ステップＳ１０３）、許可通知受付処理部１７ｂは、係員による発行許可操作があるか否か判定する（ステップＳ１０４）。そして、係員による発行許可操作があった場合には（ステップＳ１０４，Ｙｅｓ）、カード保持部１３は、記録媒体（カード）を発行し（ステップＳ１０５）、発行実績通知部１７ｄは、発行実績を管理装置２０へ送信して（ステップＳ１０６）処理を終了する。
【００８０】
なお、ステップＳ１０２において発行制限「無」の場合には（ステップＳ１０２，Ｎｏ）、ステップＳ１０３〜ステップＳ１０４の処理を行うことなく、ステップＳ１０５以降の処理を行う。また、ステップＳ１０４の判定条件を満たさなかった場合には（ステップＳ１０４，Ｎｏ）、ステップＳ１０４の処理を繰り返す。
【００８１】
次に、図７に示した処理手順の変形例について図８を用いて説明する。図８は、図７に示した処理手順の変形例を示すフローチャートである。なお、図８に示したフローチャートは、図５の（３）に示した発行制限情報２３ａを、台間装置１０が管理装置２０から受け取った場合の処理手順である。
【００８２】
同図に示すように、カード保持部１３が、遊技者による記録媒体の発行操作を受け付けたならば（ステップＳ２０１）、発行処理部１７ｃは、発行制限「有」の設定がなされているか否かを判定する（ステップＳ２０２）。
【００８３】
そして、発行制限「有」の設定ありの場合には（ステップＳ２０２，Ｙｅｓ）、計数部１５による計数値が発行制限閾値以上であるか否かを判定する（ステップＳ２０３）。そして、計数値が発行制限閾値以上である場合には（ステップＳ２０３，Ｙｅｓ）、状態表示部１１が係員に対する報知を行い（ステップＳ２０４）、許可通知受付処理部１７ｂは、係員による発行許可操作があるか否か判定する（ステップＳ２０５）。
【００８４】
そして、係員による発行許可操作があった場合には（ステップＳ２０５，Ｙｅｓ）、カード保持部１３は、記録媒体（カード）を発行し（ステップＳ２０６）、発行実績通知部１７ｄは、発行実績を管理装置２０へ送信して（ステップＳ２０７）処理を終了する。
【００８５】
なお、ステップＳ２０２において発行制限「無」の場合には（ステップＳ２０２，Ｎｏ）、ステップＳ２０３〜ステップＳ２０５の処理を行うことなく、ステップＳ２０６以降の処理を行う。また、ステップＳ２０３において計数値が発行制限閾値未満である場合には（ステップＳ２０３，Ｎｏ）、ステップＳ２０４〜ステップＳ２０５の処理を行うことなく、ステップＳ２０６以降の処理を行う。また、ステップＳ２０５の判定条件を満たさなかった場合には（ステップＳ２０５，Ｎｏ）、ステップＳ２０５の処理を繰り返す。
【００８６】
ところで、これまでは、台間装置１０と、管理装置２０とで記録媒体発行システム１を構成する場合について説明してきたが、台間装置のみで記録媒体発行制限を行うこととしてもよい。そこで、以下では、記録媒体発行制限を行う台間装置１０ａについて説明する。なお、以下の説明では、図３における台間装置１０の各構成要素と対応する構成要素には同一の符号を付し、内容が異なる点についてのみ説明することとする。
【００８７】
図９は、台間装置１０の変形例を示す図である。同図に示すように、変形例に係る台間装置１０ａは、通信Ｉ／Ｆ１６および発行実績通知部１７ｄを備えない点で、台間装置１０とは異なる。また、台間装置１０ａの設定処理部１７ａは、リモコン受光部１２を介して発行制限に係る設定を行う点で、台間装置１０とは異なる。
【００８８】
このように、リモコン受光部１２経由で係員のリモコンから、記録媒体（カード）の発行制限の有無（図５の（１）参照）、あるいは、発行制限閾値の値（図５の（２）参照）を受け取ることで、計数値が記録されたカードの発行について係員による許可を必要とするか否かを、各台間装置１０ａに設定することができる。
【００８９】
上述してきたように、本実施例では、管理装置が、台間装置ごとに計数値記録媒体の発行制限を行うか否かを指定した発行制限情報を記憶し、記憶された発行制限情報を該当する各台間装置へそれぞれ通知するように構成した。また、台間装置が、自装置に対応する遊技台で遊技者が獲得した遊技媒体を計数し、計数値が記録された計数値記録媒体の発行を許可する旨の通知である許可通知を受け付け、受け取った発行制限情報が発行制限をする旨の情報である場合には、許可通知を受け付けたことを条件として計数値記録媒体を発行し、発行制限をしない旨の情報である場合には、許可通知を受け付けたか否かに関わらず計数値記録媒体を発行するように構成した。
【００９０】
すなわち、各台計数方式を採用した場合に、管理装置が、台間装置における計数値記録媒体の発行に係員の許可が必要な条件を台間装置へ通知し、各台間装置が、かかる条件に合致した場合に、係員の許可を得るまで計数値記録媒体の発行を行わないこととした。したがって、遊技台の種別や、遊技店の運用に応じて計数値記録媒体の発行制限を柔軟に設定することができる。また、係員の許可を計数値記録媒体の発行要件とすることで、不正行為を防止することができる。
【００９１】
なお、上述した実施例では、係員がリモコンで記録媒体の発行許可を与える際に、係員が参照可能な情報について特に言及しなかったが、係員に対して次のような情報を提供することとしてもよい。たとえば、図４に示した計数表示部（図４の４９参照）に、係員のリモコンの指示によって遊技機が払い出した玉数を表示する。このようにすることで、表示された玉数が計数値よりも明らかに少ない場合には、他店からのパチンコ玉の持ち込みなどの不正行為を疑うことが可能となる。
【００９２】
また、上述した実施例では、係員がリモコンで記録媒体の発行許可を与える場合について示したが、台間装置の操作部（図４の４４参照）経由で発行許可を与えることとしてもよい。
【００９３】
また、上述した実施例の他、管理装置側で計数値記録媒体の発行有無の確認を行うこととしてもよい。具体的には、遊技者からの計数値記録媒体発行通知を受けると、管理装置は該当する遊技機の出玉情報を算出する。たとえば、遊技機からの貸玉情報、特賞による払出玉情報、遊技者が打ち込んだ玉情報に基づいて現時点での獲得玉数（遊技者が獲得している玉数）を算出する。そして、算出した獲得玉数と実際の計数結果とを照合し、照合結果に基づいて計数値記録媒体の発行可否を判定したうえで台間装置へ送信する。
【００９４】
ここで、計数値記録媒体の発行可否の判定では、たとえば、算出した獲得玉数と実際の計数結果との差分が所定の閾値以上である場合に、発行可否を発行ＮＧとする。発行可否を受信した台間装置では発行可否を表示し、表示された発行可否を係員が目視確認する。係員は、発行可否が発行ＯＫであれば計数値記録媒体の発行処理を行う。
【００９５】
このように、獲得玉数と計数結果との照合結果に基づいて計数値記録媒体の発行可否を判定することで、不正行為（たとえば、他店からの玉持ち込み）の有無を確認することが可能となる。なお、台間装置における発行可否の表示は、たとえば、発行ＯＫならば状態表示ランプを青色、発行ＮＧであれば赤色に点灯させればよい。また、台間装置の状態表示部に表示するなど表示形態や表示場所は問わない。
【００９６】
また、係員による発行処理を不要とし、管理装置が判定した計数値記録媒体の発行可否が発行ＯＫであれば、自動的に計数値記録媒体の発行を行うようにしてもよい。なお、発行可否が発行ＮＧであれば、台間装置の状態表示部を点灯させるなどして係員に対する報知処理を実行することとすればよい。
【産業上の利用可能性】
【００９７】
以上のように、本発明に係る台間装置、記録媒体発行システムおよび記録媒体発行方法は、各台計数方式における不正防止に有用であり、特に、遊技者に対して過度な負担をかけることなく不正行為を防止したい場合に適している。
【図面の簡単な説明】
【００９８】
【図１】本発明に係る記録媒体発行手法の概要を示す図である。
【図２】本発明に係る記録媒体発行手法を適用するネットワーク環境を説明するための図である。
【図３】本実施例に係る記録媒体発行システムの構成を示すブロック図である。
【図４】台間装置の外観図である。
【図５】発行制限情報の例を示す図である。
【図６】発行実績情報の例を示す図である。
【図７】台間装置が実行する処理手順を示すフローチャートである。
【図８】図７に示した処理手順の変形例を示すフローチャートである。
【図９】台間装置の変形例を示すブロック図である。
【符号の説明】
【００９９】
１    記録媒体発行システム
１０、１０ａ  台間装置
１１    状態表示部
１２    リモコン受光部
１３    カード保持部
１４    カードＲ／Ｗ部
１５    計数部
１６    通信Ｉ／Ｆ
１７    制御部
１７ａ  設定処理部
１７ｂ  許可通知受付処理部
１７ｃ  発行処理部
１７ｄ  発行実績通知部
２０    管理装置
２１    通信Ｉ／Ｆ部
２２    制御部
２２ａ  発行制限送信処理部
２２ｂ  発行実績受信処理部
２３    記憶部
２３ａ  発行制限情報
２３ｂ  発行実績情報
４１    状態表示部
４２    紙幣挿入部
４３    リモコン受光部
４４    表示／操作部
４５    持ち玉払出部
４６    カード発行部
４７    計数部
４８    玉貯留部
４９    計数表示部
５０    持ち玉払出ボタン
５１    遊技機
５２    下皿
１００    島コントローラ
２００    精算機
３００    景品管理機
４００    カード処理機
【図１】
2009268581.tif 000003
【図２】
2009268581.tif 000004
【図３】
2009268581.tif 000005
【図４】
2009268581.tif 000006
【図５】
2009268581.tif 000007
【図６】
2009268581.tif 000008
【図７】
2009268581.tif 000009
【図８】
2009268581.tif 000010
【図９】
2009268581.tif 000011